【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
コンピュータが実行する方法であって、
コンピューティングシステムが、ソーシャルネットワーキングシステムを介して公開されるポストを識別するステップと、
前記コンピューティングシステムが、ポストに関連するプライバシー設定を変更するためのプライバシースケジュールを決定するステップと、
前記コンピューティングシステムが、ポストに関連する前記プライバシー設定を変更するトリガーを検出するステップと、
前記コンピューティングシステムが、前記トリガーが検出されたときに、前記プライバシースケジュールに基づいて前記プライバシー設定を変更するステップと
を含むコンピュータが実行する方法。
【請求項２】
前記トリガーを検出する前に前記ソーシャルネットワーキングシステムを介してポストを公開するステップと、
変更される前のプライバシー設定に基づいて、第１の組の１つまたは複数のエンティティによってアクセス可能となるようにポストを有効にするステップと、ここで、前記第１の組は、前記プライバシースケジュールに基づいて定義され、
変更された後のプライバシー設定に基づいて、第２の組の１つまたは複数のエンティティによってアクセス可能となるようにポストを有効にするステップとを更に含み、ここで、前記第２の組は、プライバシースケジュールに基づいて定義される、請求項１に記載のコンピュータが実行する方法。
【請求項３】
前記第１の組は、前記第２の組よりも大きい、請求項２に記載のコンピュータが実行する方法。
【請求項４】
前記第２の組は、前記第１の組よりも大きい、請求項２に記載のコンピュータが実行する方法。
【請求項５】
前記第１の組または前記第２の組の少なくとも１つは、１つまたは複数のソーシャルつながり信号にさらに基づいて定義される、請求項２に記載のコンピュータが実行する方法。
【請求項６】
ポストに関連するプライバシー設定を変更する第２のトリガーを検出するステップと、
前記第２のトリガーが検出されたときに、前記プライバシースケジュールに基づいて前記プライバシー設定を変更するステップと、
変更された後のプライバシー設定に基づいて、第３の組の１つまたは複数のエンティティによってアクセス可能となるようにポストを有効にするステップとを更に含み、前記第３の組は、前記プライバシースケジュールに基づいて定義される、請求項２に記載のコンピュータが実行する方法。
【請求項７】
ポストは、前記ソーシャルネットワーキングシステムのユーザによって作成され、前記第１の組は公衆の視聴者を含み、前記第２の組は、ユーザに関連付けられた１組のソーシャルつながりを含み、前記第３の組は、ユーザに関連付けられたソーシャルつながりの選択された一部を含む、請求項６に記載のコンピュータが実行する方法。
【請求項８】
ポストは、前記ソーシャルネットワーキングシステムのユーザによって作成され、前記第１の組は、ユーザに関連付けられた１組のソーシャルつながりを含み、前記第２の組は、ユーザに関連付けられたソーシャルつながりの選択された一部を含み、前記第３の組は、ユーザを含む、請求項６に記載のコンピュータが実行する方法。
【請求項９】
ポストは、前記ソーシャルネットワーキングシステムのユーザによって作成され、前記プライバシースケジュールは、１組のシステム設定またはユーザからの１組のコマンドのうちの少なくとも一方に基づいて決定される、請求項１に記載のコンピュータが実行する方法。
【請求項１０】
前記トリガーは、経過時間の指定された期間またはイベントの発生のうちの少なくとも一方に関連付けられる、請求項１に記載のコンピュータが実行する方法。
【請求項１１】
システムであって、
少なくとも１つのプロセッサと、
命令を格納するメモリと
を備え、前記命令は、前記少なくとも１つのプロセッサによる実行時に、前記システムに
ソーシャルネットワーキングシステムを介して公開されるポストを識別すること、
ポストに関連するプライバシー設定を変更するためのプライバシースケジュールを決定すること、
ポストに関連する前記プライバシー設定を変更するトリガーを検出すること、
前記トリガーが検出されたときに、前記プライバシースケジュールに基づいて前記プライバシー設定を変更することを行わせる、システム。
【請求項１２】
前記命令は前記システムに、
前記トリガーを検出する前に前記ソーシャルネットワーキングシステムを介してポストを公開すること、
変更される前のプライバシー設定に基づいて、第１の組の１つまたは複数のエンティティによってアクセス可能となるようにポストを有効にすること、ここで、前記第１の組は、前記プライバシースケジュールに基づいて定義され、
変更された後のプライバシー設定に基づいて、第２の組の１つまたは複数のエンティティによってアクセス可能となるようにポストを有効にすることを更に行わせ、ここで、前記第２の組は、プライバシースケジュールに基づいて定義される、請求項１１に記載のシステム。
【請求項１３】
前記第１の組または前記第２の組の少なくとも１つは、１つまたは複数のソーシャルつながり信号にさらに基づいて定義される、請求項１２に記載のシステム。
【請求項１４】
前記命令は前記システムに、
ポストに関連するプライバシー設定を変更する第２のトリガーを検出すること、
前記第２のトリガーが検出されたときに、前記プライバシースケジュールに基づいて前記プライバシー設定を変更すること、
変更された後のプライバシー設定に基づいて、第３の組の１つまたは複数のエンティティによってアクセス可能となるようにポストを有効にすることを更に行わせ、前記第３の組は、前記プライバシースケジュールに基づいて定義される、請求項１２に記載のシステム。
【請求項１５】
前記トリガーは、経過時間の指定された期間またはイベントの発生のうちの少なくとも一方に関連付けられる、請求項１１に記載のシステム。
【請求項１６】
命令を含む非一時的なコンピュータ可読の記憶媒体であって、コンピューティングシステムの少なくとも１つのプロセッサによる実行時に、前記コンピューティングシステムに、
ソーシャルネットワーキングシステムを介して公開されるポストを識別するステップと、
ポストに関連するプライバシー設定を変更するためのプライバシースケジュールを決定するステップと、
ポストに関連する前記プライバシー設定を変更するトリガーを検出するステップと、
前記トリガーが検出されたときに、前記プライバシースケジュールに基づいて前記プライバシー設定を変更するステップとを含む方法を行わせる、非一時的なコンピュータ可読の記憶媒体。
【請求項１７】
前記命令は、前記コンピューティングシステムに、
前記トリガーを検出する前に前記ソーシャルネットワーキングシステムを介してポストを公開するステップと、
変更される前のプライバシー設定に基づいて、第１の組の１つまたは複数のエンティティによってアクセス可能となるようにポストを有効にするステップと、ここで、前記第１の組は、前記プライバシースケジュールに基づいて定義され、
変更された後のプライバシー設定に基づいて、第２の組の１つまたは複数のエンティティによってアクセス可能となるようにポストを有効にするステップとを更に行わせ、ここで、前記第２の組は、プライバシースケジュールに基づいて定義される、請求項１６に記載の非一時的なコンピュータ可読の記憶媒体。
【請求項１８】
前記第１の組または前記第２の組の少なくとも１つは、１つまたは複数のソーシャルつながり信号にさらに基づいて定義される、請求項１７に記載の非一時的なコンピュータ可読の記憶媒体。
【請求項１９】
前記命令は、前記コンピューティングシステムに、
ポストに関連するプライバシー設定を変更する第２のトリガーを検出するステップと、
前記第２のトリガーが検出されたときに、前記プライバシースケジュールに基づいて前記プライバシー設定を変更するステップと、
変更された後のプライバシー設定に基づいて、第３の組の１つまたは複数のエンティティによってアクセス可能となるようにポストを有効にするステップとを更に行わせ、前記第３の組は、前記プライバシースケジュールに基づいて定義される、請求項１７に記載の非一時的なコンピュータ可読の記憶媒体。
【請求項２０】
前記トリガーは、経過時間の指定された期間またはイベントの発生のうちの少なくとも一方に関連付けられる、請求項１６に記載の非一時的なコンピュータ可読の記憶媒体。